(57)【要約】【課題】より多種の外部機器に接続可能であるとともに一層の小型化が可能なディスク装置を提供する。【解決手段】  矩形箱状の筐体１０の外面に対向して制御回路基板１２が設けられ、外部機器に接続可能な接続端子を有した接続ケーブル７６が制御回路基板から延出している。制御回路基板は、第１の属性を有した複数の第１接続パッド、第１の属性と異なる第２の属性を有した複数の第２接続パッド、および第１および第２の属性と異なる第３の属性を有した複数の第３接続パッドを有し、第１、第２、第３接続パッドは、制御回路基板上に並んで設けられている。接続ケーブルは、第１ないし第３接続パッドの少なくとも１種類の接続パッドに接続された基端部７６ａを有し、接続端子は、基端部が接続された少なくとも１種類の接続パッドにそれぞれ導通した複数の接続端子を含んでいる。【選択図】  図４
2005346743.tif 000002
【特許請求の範囲】
【請求項１】
矩形箱状の筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体内に設けられ前記ヘッドアクチュエータに接続された基板ユニットと、
前記筐体の外面に対向して設けられ、前記基板ユニットに接続された制御回路基板と、
前記制御回路基板から延出しているとともに外部機器に接続可能な接続端子を有した接続ケーブルと、を備え、
前記制御回路基板は、第１の属性を有した複数の第１接続パッド、および前記第１の属性と異なる第２の属性を有した複数の第２接続パッドを有し、前記第１接続パッドおよび第２接続パッドは前記制御回路基板上に並んで設けられ、
前記接続ケーブルは、前記第１および第２接続パッドの少なくとも１種類の接続パッドに接続された基端部を有し、前記接続端子は、前記基端部が接続された少なくとも１種類の接続パッドにそれぞれ導通した複数の接続端子を含んでいるディスク装置。
【請求項２】
前記接続ケーブルは、前記第１接続パッドおよび第２接続パッドに接続された基端部を有し、前記接続端子は、前記基端部が接続された接続パッドにそれぞれ導通した複数の接続端子を含んでいる請求項１に記載のディスク装置。
【請求項３】
矩形箱状の筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体内に設けられ前記ヘッドアクチュエータに接続された基板ユニットと、
前記筐体の外面に対向して設けられ、前記基板ユニットに接続された制御回路基板と、
前記制御回路基板から延出しているとともに外部機器に接続可能な接続端子を有した接続ケーブルと、を備え、
前記制御回路基板は、第１の属性を有した複数の第１接続パッド、前記第１の属性と異なる第２の属性を有した複数の第２接続パッド、および前記第１および第２の属性と異なる第３の属性を有した複数の第３接続パッドを有し、前記第１、第２、第３接続パッドは、制御回路基板上に並んで設けられ、
前記接続ケーブルは、前記第１、第２、第３接続パッドの少なくとも１種類の接続パッドに接続された基端部を有し、前記接続端子は、前記基端部が接続された少なくとも１種類の接続パッドにそれぞれ導通した複数の接続端子を含んでいるディスク装置。
【請求項４】
前記接続ケーブルは、前記第１、第２、第３接続パッドの少なくとも２種類の接続パッドに接続された基端部を有し、前記接続端子は、前記基端部が接続された少なくとも２種類の接続パッドにそれぞれ導通した複数の接続端子を含んでいる請求項３に記載のディスク装置。
【請求項５】
前記接続ケーブルは、前記第１、第２、第３接続パッドに接続された基端部を有し、前記接続端子は、前記第１、第２、第３の接続パッドにそれぞれ導通した複数の接続端子を含んでいる請求項３に記載のディスク装置。
【請求項６】
前記制御回路基板は前記筐体の外面に対応したほぼ矩形状に形成され、前記接続パッドは、前記制御回路基板の一辺に沿って並んで配設されている請求項１ないし６のいずれか１項に記載のディスク装置。
【請求項７】
前記ヘッドアクチュエータは、軸受部と、この軸受部により回動自在に支持されているとともに前記ヘッドを支持したアームと、を有し、前記駆動モータおよび軸受部は、前記筐体の長手方向に並んで配設され、前記複数の接続パッドは、前記制御回路基板の短辺の内、前記軸受部側に位置した短辺に沿って並んで設けられている請求項６に記載のディスク装置。
【請求項８】
前記接続ケーブルはフレキシブルプリント回路基板により形成され、このフレキシブルプリント回路基板は、前記接続パッドの配列方向に沿って延びた基端部と、この基端部から延出し延出端に前記接続端子が設けられた帯状の延出部と、前記接続端子の近傍で延出部から両側へ延出した把持部と、を有し、前記接続端子の近傍で前記延出部および把持部に重ねて裏打ち板が貼付されている請求項６又は７に記載のディスク装置。
【請求項９】
前記フレキシブルプリント回路基板は、前記基端部と延出部との境界部、および、延出部と把持部との境界部をそれぞれ補強した銅箔を含んでいる請求項８に記載のディスク装置。
【請求項１０】
前記筐体および制御回路基板は、長手方向の寸法が約３２ｍｍ、幅方向の寸法が約２４ｍｍ、筐体および制御回路基板を含む厚さが約３ないし６ｍｍに形成されている請求項１ないし９のいずれか１項に記載のディスク装置。
【請求項１１】
前記記録媒体は、直径０．８５インチに形成されている請求項１ないし１０のいずれか１項に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
筐体の外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００４】
このような磁気ディスク装置では、接続される外部機器の仕様に応じて、インタフェースコネクタのピン配列等を変更する必要がある。例えば、ある外部機器に対しては、インターフェースコネクタの所定のピンに入力側を割当て、他の外部機器に対しては、インターフェースコネクタの所定のピンを出力側を割当てる必要がある。
【０００５】
また、例えば特許文献１に開示された情報記録装置によれば、単一の共通インターフェースコネクタを用いるとともに、このインターフェースコネクタに接続された制御用ＩＣに入力回路を設け、複数のセレクタによって制御用ＩＣの外部端子の属性を選択できるようにしている。これにより、インターフェースの仕様を制御用ＩＣ内部で変更できる構成としている。
【特許文献１】特開平７−２８１８３８号公報
【発明の開示】
【発明が解決しようとする課題】
【０００６】
近年、磁気ディスク装置は、より多種の電子機器、特に、より小型の電子機器の記録装置として用いることができるように、一層の小型化が進められている。例えば、ディスクの直径が１インチ以上の磁気ディスク装置において、筐体の表面に重ねて配置されるプリント回路基板は、筐体表面の面積よりも小さくすることができる。しかしながら、ディスクの直径が１インチ以下の磁気ディスク装置では、筐体の小型化に伴い、プリント回路基板も小さくする必要がある。そのため、プリント回路基板上における設置スペースが減少し、複数の電子部品を実装することが困難となる。特に、磁気ディスク装置を外部機器と接続するためのインターコネクタは、比較的高さが高くかつ寸法が大きいため、プリント回路基板上の実装が困難であるとともに、プリント回路基板を含む磁気ディスク装置全体の厚さを薄くする上で障害となる。同様に、プリント回路基板上に実装する制御用ＩＣ等の電子部品も小型化する必要がある。しかしながら、上記のように、制御用ＩＣに入出力回路、複数のセレクタ等を組み込んだ場合、回路構成が複雑となりＩＣの小型化が困難となる。
【０００７】
この発明は以上の点に鑑みなされたもので、その目的は、より多種の外部機器に接続可能であるとともに一層の小型化が可能なディスク装置を提供することにある。
【課題を解決するための手段】
【０００８】
上記目的を達成するため、この発明に係るディスク装置は、矩形箱状の筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記筐体内に設けられ前記ヘッドアクチュエータに接続された基板ユニットと、前記筐体の外面に対向して設けられ、前記基板ユニットに接続された制御回路基板と、前記制御回路基板から延出しているとともに外部機器に接続可能な接続端子を有した接続ケーブルと、を備え、  
前記制御回路基板は、第１の属性を有した複数の第１接続パッド、および前記第１の属性と異なる第２の属性を有した複数の第２接続パッドを有し、前記第１接続パッドおよび第２接続パッドは前記制御回路基板上に並んで設けられ、前記接続ケーブルは、前記第１および第２接続パッドの少なくとも１種類の接続パッドに接続された基端部を有し、前記接続端子は、前記基端部が接続された少なくとも１種類の接続パッドにそれぞれ導通した複数の接続端子を含んでいる。
【発明の効果】
【０００９】
この発明によれば、寸法の大きなコネクタを省略し、より多種の外部機器の記録装置として用いることができるとともに一層の小型化が可能なディスク装置を提供することができる。
【発明を実施するための最良の形態】
【００１０】
以下図面を参照しながら、この発明の第１の実施形態に係るハードディスクドライブ（以下ＨＤＤと称する）について詳細に説明する。  
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴが３ないし６ｍｍに形成されている。厚さＴは、収納するディスクの枚数に応じて、例えば、３．３ｍｍあるいは５ｍｍ程度に設定されている。
【００１１】
図２ないし図５に示すように、筐体１０は、互いにほぼ等しい寸法に形成された第１シェル１０ａおよび第２シェル１０ｂにより構成されている。第１および第２シェル１０ａ、１０ｂは、それぞれ金属によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の筐体１０が構成されている。
【００１２】
第１シェル１０ａの底面は矩形状の実装面１１を形成している。実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１３】
筐体１０内において、筐体の周縁部には複数の支持ポスト１８が設けられている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１４】
筐体１０内には、情報記録媒体として機能する例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドＩＣ等を有する基板ユニット３４等が収納されている。
【００１５】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１６】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１７】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００１８】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００１９】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２０】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上に位置する動作位置との間を回動し、磁気ヘッド２４は磁気ディスク２０の所望のトラック上に位置決めされる。第１シェル１０ａに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２１】
ランプロード機構３０は、第１シェル１０ａの内面に固定され磁気ディスク２０の周縁部に対向したランプ部材７０と、サスペンション６０の先端から延出し係合部材として機能するタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。
【００２２】
基板ユニット３４は、フレキシブルプリント回路基板により形成された本体３４ａを有し、この本体３４ａは第１シェル１０ａの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ３４ｃが実装されている。このコネクタ３４ｃは、第１シェル１０ａに形成された開孔を介して第１シェルの実装面１１に露出している。
【００２３】
図２および図４に示すように、プリント回路基板からなる制御回路基板１２は筐体１０の実装面１１とほぼ等しいの長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。制御回路基板１２の内面上、つまり、筐体１０と対向する面上には、複数の電子部品７４、およびコネクタ７１が実装されている。また、制御回路基板１２にはＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子７５が形成されている。
【００２４】
図４、図６および図７に示すように、制御回路基板１２の外面には、ＨＤＤを外部機器と電気的に接続するための複数、例えば、１３個の接続パッド８０が設けられている。これらの接続パッド８０は、制御回路基板１２の一辺の近傍に、かつ、この一辺に沿って並んで設けられている。本実施形態において、複数の接続パッド８０は、制御回路基板１２の短辺の内、軸受組立体５２側に位置した短辺に沿って並んで設けられている。各接続パッド８０は細長い矩形状に形成され、制御回路基板１２の長手方向に沿って延びている。複数の接続パッド８０は互いに隙間を置いて配列されている。
【００２５】
複数の接続パッド８０は、第１の属性であるＵＳＢ（ユニバーサル・シリアル・バス）の接続端子として機能する２つの第１接続パッド８０ａ、第２の属性であるメモリーカード規格に適合した接続端子として機能する８つの第２接続パッド８０ｂ、第３の属性であるシリアルインターフェースの接続端子として機能する２つの第３接続パッド８０ｃ、および予備の接続バッド８０ｄを含んでいる。
【００２６】
接続ケーブルとして機能するフレキシブルプリント回路基板（以下、ＦＰＣと称する）７６は、第１、第２、第３接続パッド８０ａ、８０ｂ、８０ｃの内、任意に選択された少なくとも１種類の接続パッドに接続されている。本実施形態によれば、ＦＰＣ７６は、全種類の接続パッド、すなわち、第１、第２、第３接続パッド８０ａ、８０ｂ、８０ｃに接続されている。ＦＰＣ７６は、接続パッド８０に重ねて制御回路基板１２上に固定され接続パッドの配列方向に沿って延びた基端部７６ａと、この基端部から延出し延出端に接続端子７５が設けられた帯状の延出部７６ｂと、接続端子の近傍で延出部から両側へ延出した一対の把持部７６ｃと、を一体に備えている。基端部７６ａには、それぞれ接続パッド８０に対応して位置した１３のパッド８２が形成されている。これらのパッド８２は、制御回路基板１２の接続パッド８０にそれぞれ重なって位置し、これらの接続パッド８０と電気的に接続されている。
【００２７】
延出部７６ｂの延出端には、設けられた接続端子７５は、それぞれ接続パッド８０に対応して１３の接続端子７５が設けられている。接続端子７５は細長い矩形状に形成され、それぞれ延出部７６ｂの延出方向に沿って延びているとともに、この延出方向と直交する方向に隙間をおいて並んでいる。接続端子７５は、基端部７６ａおよび延出部７６ｂに形成された導体ライン８４により、それぞれ対応するパッド８２に接続されている。これにより、接続パッド８０は、それぞれ対応する接続端子７５に導通している。
【００２８】
上述したパッド８２、接続端子７５および導体ライン８４は、絶縁層上に形成された銅箔により構成されている。ＦＰＣ７６において、基端部７６ａと延出部７６ｂとの境界境界近傍に位置した角部には、それぞれ補強用の銅箔８８ａが設けられている。また、各把持部７６ｃと延出部７６ｂとの境界部近傍に位置した角部には、補強用の銅箔８８ｂが設けられている。
【００２９】
接続端子２５を含む延出部７６ｂの延出端部および一対の把持部７６ｃの裏面に重ねてほぼＴ字形上の裏打ち板９０が貼付されている。裏打ち板９０はアクリル等の非導電性材料で形成され、ＦＰＣ７６の延出端部を補強している。そして、このように構成されたＦＰＣ７６の延出端部を外部機器のコネクタ等に係合させ、接続端子７５を外部機器側の端子と電気的に接続することにより、ＨＤＤを外部機器に接続することができる。その際、裏打ち板９０で補強されたＦＰＣ７６の把持部７６ｃを把持して接続することにより、ＦＰＣの接続端部を容易にかつ確実に外部機器に接続することができる。なお、図６では、図面の複雑化を避けるため、裏打ち板９０を省略して示している。
【００３０】
上記構成の制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００３１】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００３２】
以上のように構成されたＨＤＤによれば、制御回路基板１２は、それぞれ異なる属性を有した第１ないし第３接続パッド８０ａ、８０ｂ、８０ｃを備え、これらの接続パッドの内、任意の接続パッドにはＦＰＣ７６が接続され制御回路基板１２の外方へ導出している。ＦＰＣ７６の延出端に設けられた接続端子を外部機器に接続することにより、ＨＤＤを外部機器に電気的に接続することができる。そのため、比較的寸法の大きなコネクタを省略し、制御回路基板１２を含むＨＤＤ全体の厚さを薄くすることができる。また、複数種類の属性を有した接続パッドの内、任意の接続パッドを選択して用いることにより、多種の外部機器に接続することができる。従って、汎用性が高く小型のＨＤＤが得られる。上記のように構成されたカード状かつ携帯可能なＨＤＤは、例えば、携帯電話機、デジタルカメラ、ビデオカメラ、パーソナルデジタルアシスタント（ＰＤＡ）等、種々の電子機器の記録装置として用いることができる。
【００３３】
また、上述したＨＤＤによれば、ＦＰＣ７６の延出端部には指で把持可能な把持部７６ｃが設けられ、更に、この延出端部および把持部には補強用の裏打ち板９０が固定されている。そのため、ＦＰＣ７６の接続端部を外部機器のコネクタ等に脱着する際、把持部７６ｃを利用して容易にかつ確実に脱着操作を行うことができる。
【００３４】
上述した実施形態において、ＦＰＣ７６は制御回路基板１２の全種類の接続パッドに接続する構成としたが、ＦＰＣ７６は少なくとも１種類の接続パッドに接続されていればよい。図８に示す第２の実施形態によれば、ＦＰＣ７６は、制御回路基板１２の第２接続パッド８０ｂのみに接続されたパッド８２を有している。また、図９に示す第３の実施形態によれば、ＦＰＣ７６は、制御回路基板１２の第１接続パッド８０ａのみに接続されたパッド８２を有している。いずれの実施形態においても、複数種類設けられた接続パッドの内、任意の種類の接続パッドを用いて、すなわち、任意の種類のインターフェースを用いてＨＤＤを外部機器に接続することができる。
【００３５】
なお、第２および第３の実施形態において、他の構成は前述した第１の実施形態と同一であり、同一の部分には同一の参照符号を付してその詳細な説明を省略する。そして、第２および第３の実施形態においても、前述した第１の実施形態と同様の作用効果を得ることができる。
【００３６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
制御回路基板に設けられた接続パッドの属性は、２種類あるいは４種類以上としてもよい。また、各接続パッドの属性は上述した実施形態に限らず、他のインターフェースとしてもよい。磁気ディスクの枚数は１枚に限らず、必要に応じて増加可能である。ヘッドは１つに限らず必要に応じて増加可能である。磁気ディスクは、０．８５インチに限らず、１．８インチあるいは２．５インチとしてもよい。
【図面の簡単な説明】
【００３７】
【図１】この発明の第１の実施形態に係るＨＤＤを示す斜視図。
【図２】前記ＨＤＤの分解斜視図。
【図３】前記ＨＤＤの筐体および内部構造を示す平面図。
【図４】前記ＨＤＤの制御回路基板側を示す斜視図。
【図５】図１の線Ａ−Ａに沿ったＨＤＤの断面図。
【図６】前記ＨＤＤの制御回路基板およびＦＰＣを示す平面図。
【図７】前記ＨＤＤの制御回路基板およびＦＰＣを示す側面図。
【図８】この発明の第２の実施形態に係るＨＤＤの制御回路基板およびＦＰＣを示す平面図。
【図９】この発明の第２の実施形態に係るＨＤＤの制御回路基板およびＦＰＣを示す平面図。
【符号の説明】
【００３８】
１０…筐体、  １０ａ…第１シェル、  １０ｂ…第２シェル、  １２…制御回路基板、
２０…磁気ディスク、  ２２…スピンドルモータ、  ２４…磁気ヘッド、
２６…キャリッジ、  ２８…ＶＣＭ、  ３４…基板ユニット、  ７５…接続端子
７６…フレキシブルプリント回路基板、  ７６ｃ…把持部、  ８０…接続パッド、
８２…パッド、  ９０…裏打ち板
【図１】
2005346743.tif 000003
【図２】
2005346743.tif 000004
【図３】
2005346743.tif 000005
【図４】
2005346743.tif 000006
【図５】
2005346743.tif 000007
【図６】
2005346743.tif 000008
【図７】
2005346743.tif 000009
【図８】
2005346743.tif 000010
【図９】
2005346743.tif 000011